(57)【要約】      （修正有）【課題】近接撮影時のズーム比の低下が少なく、高ズーム比でしかも全ズーム範囲にわたり高い光学性能を有する小型のズームレンズを提供する。【解決手段】レンズ群としては、物体側から像側へ順に、正の屈折力の第１レンズ群Ｕ１、負の屈折力の第２レンズ群Ｕ２、負の屈折力の第３レンズ群Ｕ３、正の屈折力の第４レンズ群Ｕ４、正の屈折力の第５レンズ群Ｕ５から構成されるズームレンズにおいて、フォーカシングに際して第４レンズ群が移動し、第２レンズ群の横倍率をβ２ｔ、第３レンズ群の横倍率をβ３ｔ、第４レンズ群の横倍率をβ４ｗ、第４レンズ群の横倍率をβ４ｔとするとき、以下を満足すること。−１．４＜β２ｔ×β３ｔ＜−０．４かつ１．０２＜β４ｗ×β４ｔ【選択図】図１
2016057387.tif 000002
【特許請求の範囲】
【請求項１】
レンズ群としては、物体側から像側へ順に、ズーミングのためには不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、ズーミングのためには不動の正の屈折力の第５レンズ群から構成されるズームレンズにおいて、
フォーカシングに際して前記第４レンズ群が移動し、
望遠端において無限遠に合焦したときの前記第２レンズ群の横倍率をβ２ｔ、
望遠端において無限遠に合焦したときの前記第３レンズ群の横倍率をβ３ｔ、
広角端において無限遠に合焦したときの前記第４レンズ群の横倍率をβ４ｗ、
望遠端において無限遠に合焦したときの前記第４レンズ群の横倍率をβ４ｔ、
とするとき、
−１．４＜β２ｔ×β３ｔ＜−０．４
１．０２＜β４ｔ／β４ｗ
なる条件を満足することを特徴とするズームレンズ。
【請求項２】
β４ｔ＜−１．０
なる条件を満足することを特徴とする請求項１に記載のズームレンズ。
【請求項３】
前記第１レンズ群の焦点距離をｆ１、
前記第２レンズ群の焦点距離をｆ２、
前記第３レンズ群の焦点距離をｆ３、
前記第４レンズ群の焦点距離をｆ４、
望遠端において無限遠に合焦したときの前記ズームレンズの焦点距離をｆｔ、
とするとき、
０．８＜ｆｔ／ｆ１＜４．０
−５．０＜ｆ１／ｆ２＜−２．０
−３．５＜ｆ１／ｆ３＜−０．５
１．０＜ｆ１／ｆ４＜４．０
なる条件式を満足する請求項１又は２に記載のズームレンズ。
【請求項４】
広角端から望遠端へのズーミングに際して、前記第２レンズ群は物体側から像側へ非単調的に移動し、前記第３レンズ群は像側から物体側へ移動した後に物体側から像側へ移動し、前記第４レンズ群は像側から物体側へ非単調的に移動することを特徴とする請求項１乃至３のいずれか１項に記載のズームレンズ。
【請求項５】
無限遠から近距離へのフォーカシングに際して、前記第４レンズ群は物体側から像側へ移動することを特徴とする請求項１乃至４のいずれか１項に記載のズームレンズ。
【請求項６】
広角端から望遠端へのズーミングにおける前記第２レンズ群の移動量をＭ２、
広角端から望遠端へのズーミングにおける前記第３レンズ群の移動量をＭ３、
広角端から望遠端へのズーミングにおける前記第４レンズ群の移動量をＭ４、
望遠端における前記ズームレンズの焦点距離をｆｔとするとき、
０．１０＜Ｍ２／ｆｔ＜０．６
０．００１＜｜Ｍ３｜／ｆｔ＜０．１００
０．０２＜｜Ｍ４｜／ｆｔ＜０．１０
なる条件を満足することを特徴とする請求項１乃至５のいずれか１項に記載のズームレンズ。
但し、前記移動量は、レンズ群の広角端における光軸上の位置と望遠端における光軸上の位置との差を言い、前記移動量の符号は、レンズ群が広角端に比べ望遠端において像側に位置するときを正とする。
【請求項７】
請求項１乃至６のいずれか１項に記載のズームレンズと、前記ズームレンズによって形成された光学像を光電変換する固体撮像素子と、を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、監視カメラ、銀塩写真用カメラ等の撮像装置に好適なものである。
【背景技術】
【０００２】
近年、撮像装置には高ズーム比で全系が小型でしかも高い光学性能を有するズームレンズが要望されている。これらの要求を満足するズームレンズとして、最も物体側に正の屈折力のレンズ群を配置した５つのレンズ群より成るポジティブリード型の５群ズームレンズが知られている（特許文献１）。
【０００３】
特許文献１では、正の屈折力の第１レンズ群、負の屈折力の第２レンズ群、負の屈折力の第３レンズ群、正の屈折力の第４レンズ群、そして結像用の正の屈折力の第５レンズ群から構成している。そしてズーミングに際して第２、第３、第４レンズ群が移動し、フォーカシングに際して第１レンズ群の一部が移動するズームレンズを開示している。
【０００４】
一方、全系の小型化を図るために、前述の５群ズームレンズにおいて、第１レンズ群以外のレンズ群でフォーカシングを行ういわゆるリアフォーカス方式のズームレンズが知られている。リアフォーカス方式のズームレンズとして変倍レンズ群よりも像側のレンズ群でフォーカシングを行うリアフォーカス方式ではフォーカス距離（物体距離）によってズーム比が変化する。
【０００５】
ここでズーム比の変化とは広角端の画角と望遠端での画界の比である拡大率が物体距離によって変化することを意味しており、ズーム比が大きく変化することで至近距離では望遠端で所望の画界が得られなくなってくる。リアフォーカス方式で変倍用のレンズ群でフォーカスを行う際の、フォーカス距離によるズーム比の変化を軽減した５群ズームレンズが知られている（特許文献２）。
【０００６】
特許文献２では、正の屈折力の第１レンズ群、負の屈折力の第２レンズ群、負の屈折力の第３レンズ群、正の屈折力の第４レンズ群、そして結像用の正の屈折力の第５レンズ群から構成している。ズーミングに際して第１レンズ群、第３レンズ群、第５レンズ群は不動で第２レンズ群と第４レンズ群が移動し、フォーカシングに際して第４レンズ群が移動する。特許文献２では、第４レンズ群がフォーカシングによる結像位置の変化の補正を兼ねる構成で、物体距離に応じてズーミング時における第２レンズ群の移動量を変化させる構成のズームレンズを開示している。
【先行技術文献】
【特許文献】
【０００７】
【特許文献１】特開平８−２３４１０５号公報
【特許文献２】特開平９−１５４９５号公報
【発明の概要】
【発明が解決しようとする課題】
【０００８】
前述した５群ズームレンズにおいて、高ズーム比化を維持し近接撮影時のズーム比の低下を軽減しつつ、全系の小型化を図り、かつ高い光学性能を得るには次の構成を適切に設定することが重要になってくる。例えば、変倍レンズ群としての第２、第３、第４レンズ群のズーミングの際の結像倍率や、各レンズ群の屈折力等を適切に設定することである。これらの構成を適切に設定しないと、近接撮影時のズーム比が低下し、かつ高ズーム比で全ズーム範囲にわたり高い光学性能の小型のズームレンズを得るのが難しくなってくる。
【０００９】
特許文献１、２の５群ズームレンズでは、高ズーム比化に伴い、レンズ全長が増大し、全系の小型化を図るのが難しくなる傾向があった。
【００１０】
本発明は、近接撮影時のズーム比の低下が少なく、高ズーム比でしかも全ズーム範囲にわたり高い光学性能を有する小型のズームレンズ及びそれを有する撮像装置の提供を目的とする。
【課題を解決するための手段】
【００１１】
本発明のズームレンズは、レンズ群としては、物体側から像側へ順に、ズーミングのためには不動の正の屈折力の第１レンズ群、ズーミングに際して移動する負の屈折力の第２レンズ群、ズーミングに際して移動する負の屈折力の第３レンズ群、ズーミングに際して移動する正の屈折力の第４レンズ群、ズーミングのためには不動の正の屈折力の第５レンズ群から構成されるズームレンズにおいて、
フォーカシングに際して前記第４レンズ群が移動し、
望遠端において無限遠に合焦したときの前記第２レンズ群の横倍率をβ２ｔ、
望遠端において無限遠に合焦したときの前記第３レンズ群の横倍率をβ３ｔ、
広角端において無限遠に合焦したときの前記第４レンズ群の横倍率をβ４ｗ、
望遠端において無限遠に合焦したときの前記第４レンズ群の横倍率をβ４ｔ、
とするとき、
−１．４＜β２ｔ×β３ｔ＜−０．４
１．０２＜β４ｔ／β４ｗ
なる条件を満足することを特徴としている。
【発明の効果】
【００１２】
本発明によれば、近接撮影時のズーム比の低下が少なく、高ズーム比でしかも全ズーム範囲にわたり高い光学性能を有する小型のズームレンズが得られる。
【図面の簡単な説明】
【００１３】
【図１】実施例１のズームレンズの無限遠にフォーカスしたときの広角端におけるレンズ断面図
【図２】（Ａ）、（Ｂ）、（Ｃ）  実施例１の無限遠にフォーカスしたときの広角端、無限遠にフォーカスしたときの望遠端、至近距離（像面より1200mm）にフォーカスしたときの望遠端における収差図
【図３】実施例２のズームレンズの無限遠にフォーカスしたときの広角端におけるレンズ断面図
【図４】（Ａ）、（Ｂ）、（Ｃ）  実施例２の無限遠にフォーカスしたときの広角端、無限遠にフォーカスしたときの望遠端、至近距離（像面より1500mm）にフォーカスしたときの望遠端における収差図
【図５】実施例３のズームレンズの無限遠にフォーカスしたときの広角端におけるレンズ断面図
【図６】（Ａ）、（Ｂ）、（Ｃ）  実施例３の無限遠にフォーカスしたときの広角端、無限遠にフォーカスしたときの望遠端、至近距離（像面より1200mm）にフォーカスしたときの望遠端における収差図
【図７】実施例４のズームレンズの無限遠にフォーカスしたときの広角端におけるレンズ断面図
【図８】（Ａ）、（Ｂ）、（Ｃ）  実施例４の無限遠にフォーカスしたときの広角端、無限遠にフォーカスしたときの望遠端、至近距離（像面より1500mm）にフォーカスしたときの望遠端における収差図
【図９】本発明のズームレンズのズーミング及びフォーカシングに際しての各レンズ群の移動軌跡の模式図
【図１０】本発明のズームレンズを撮像光学系として用いた撮像装置（テレビカメラシステム）の要部概略図
【図１１】レンズ群へ入射する光線と物像点の関係を示した近軸配置図
【発明を実施するための形態】
【００１４】
以下に本発明の実施の形態を添付の図面に基づいて詳細に説明する。本発明のズームレンズは、物体側から像側へ順に、ズーミングのためには不動の正の屈折力の第１レンズ群、ズーミングに際して移動する負の屈折力の第２レンズ群、ズーミングに際して移動する負の屈折力の第３レンズ群を有する。更にズーミングに際して移動する正の屈折力の第４レンズ群、ズーミングのためには不動の正の屈折力の第５レンズ群から構成される。フォーカシングに際して第４レンズ群が移動する。
【００１５】
図１は、本発明の実施例１の広角端で、無限遠にフォーカスしているときのレンズ断面図である。図２（Ａ）、（Ｂ）、（Ｃ）は、それぞれ広角端で無限遠にフォーカス時、望遠端において無限遠にフォーカス時、望遠端において至近距離(像面より1200mm)フォーカス時の収差図である。
【００１６】
図３は、本発明の実施例２の広角端で、無限遠にフォーカスしているときのレンズ断面図である。図４（Ａ）、（Ｂ）、（Ｃ）は、それぞれ広角端で無限遠にフォーカス時、望遠端において無限遠にフォーカス時、望遠端において至近距離(像面より1500mm)フォーカス時の収差図である。
【００１７】
図５は、本発明の実施例３の広角端で、無限遠にフォーカスしているときのレンズ断面図である。図６（Ａ）、（Ｂ）、（Ｃ）は、それぞれ広角端で無限遠にフォーカス時、望遠端において無限遠にフォーカス時、望遠端において至近距離(像面より1200mm)フォーカス時の収差図である。
【００１８】
図７は、本発明の実施例４の広角端で、無限遠にフォーカスしているときのレンズ断面図である。図８（Ａ）、（Ｂ）、（Ｃ）は、それぞれ広角端で無限遠にフォーカス時、望遠端において無限遠にフォーカス時、望遠端において至近距離(像面より1500mm)フォーカス時の収差図である。
【００１９】
図９は本発明のズームレンズのズーミング及びフォーカシングに際する各レンズ群の移動軌跡の模式図である。各レンズ断面図において、左方が被写体（物体）側（前方）で、右方が像側（後方）である。ＯＬはズームレンズである。Ｕ１はズーミングに際して不動の正の屈折力の第１レンズ群である。Ｕ２はズーミング用の負の屈折力の第２レンズ群であり、光軸上を物体側から像側へ非単調的に（非直線的に）移動することにより、広角端から望遠端への変倍を行っている。Ｕ３はズーミング用の負の屈折力の第３レンズ群、Ｕ４はズーミング用の正の屈折力の第４レンズ群である。
【００２０】
第３レンズ群Ｕ３と第４レンズ群Ｕ４は広角端から望遠端へのズーミングに際して、光軸上を非直線的に移動する。このとき第３レンズ群Ｕ３は、像側から物体側へ移動した後に物体側から像側へ移動する。即ち物体側に凸形状の軌跡で移動する。第４レンズ群Ｕ４は像側から物体側へ非直線的に（非単調的に）移動する。Ｕ５はズーミングに際して不動の正の屈折力の第５レンズ群である。第５レンズ群Ｕ５内には、焦点距離変換用のコンバータ（エクステンダ）等が装着されている場合がある。また第５レンズ群Ｕ５の一部のレンズ系を防振などのために移動させる場合がある。ＳＰは開口絞り、ＩＰは像面であり、固体撮像素子の撮像面に相当している。
【００２１】
各実施例では第４レンズ群Ｕ４を光軸上移動させてフォーカシングを行うリアフォーカス方式を採用している。図９に示すように、望遠端において無限遠から近距離へフォーカスを行う場合には矢印４ｃに示すように第４レンズ群Ｕ４を後方に繰り込むことによって行っている。第４レンズ群Ｕ４に関する実線の曲線４ａと曲線４ｂは各々無限遠と近距離にフォーカスしているときの広角端から望遠端へのズーミングに伴う際の像面変動を補正するための移動軌跡を示している。
【００２２】
各収差図のうち、球面収差においてｅはｅ線、ｇはｇ線である。非点収差においてΔＳはサジタル像面、ΔＭはメリディオナル像面である。倍率色収差においてｇはｇ線によって表している。非点収差および倍率色収差は、開口絞りの位置における光束の中心を通る光線を主光線としたときの収差量を示している。ωは近軸での半画角（度）、ＦｎｏはＦナンバーである。尚、以下の各実施例において広角端と望遠端は変倍用のレンズ群が機構上、光軸上を移動可能な範囲の両端に位置したときの変倍位置をいう。
【００２３】
各実施例のズームレンズは、各レンズ群の横倍率やズーム比を適切に規定することで、全系（ズームレンズ）の小型化・軽量化、そして高ズーム比化を達成しつつ、近距離撮影時のズーム比の低下を軽減している。
【００２４】
次に本発明のズームレンズにおいて近距離撮影時におけるズーム比の低下を軽減するための技術的理由について説明する。
【００２５】
図１１（Ａ）、（Ｂ）は、焦点距離ｆａが正であるレンズ群ａに無限遠にある物点から入射する軸上光線の近軸配置と、有限距離にある物点から入射する軸上光線に関する近軸配置の説明図である。以降、近軸配置図に関しては、像側方向を光軸方向に関する正の向き（＋）として説明する。図１１（Ａ）、（Ｂ）に示すｕａｉｎｆとｕａｄは、レンズ群ａへ光線が入射するときの換算傾角である。換算傾角とは、レンズ全体の焦点距離が１となるように規格化したときの、換算角度のことであり、ズームレンズでは広角端の焦点距離が１となるように規格化する。
【００２６】
図１１（Ａ）に示すように、物体距離が無限遠の場合、軸上光線のレンズ群ａへの換算傾角ｕａｉｎｆ＝０である。一方、図１１（Ｂ）に示すように物体距離が有限距離の場合、軸上光線のレンズ群ａへの換算傾角ｕａｄはマイナスとなり発散状態で入射するようになる。そのため、図１１（Ａ）と図１１（Ｂ）で、レンズ群ａからの射出光束は光軸上の異なる点に結像する。
【００２７】
ここで、ｓをレンズ群ａに入射する物点からレンズ群ａまでの距離（物体距離）、ｓ’をレンズ群ａからレンズ群ａの像点までの距離（像点距離）、ｆをレンズ群ａの焦点距離とする。このとき、薄肉レンズ系の物像点と焦点距離ｆの関係は、結像公式
１／ｓ’＝１／ｓ＋１／ｆ  ・・・（１１）
で表わされる。距離ｓと距離ｓ’はレンズ群ａより物体側にあるときを負、像側にあるときを正とする。
【００２８】
図１１（Ａ）、（Ｂ）において、ｓａｉｎｆまたはｓａｄは（１１）式の物体距離ｓに対応している。また、図１１（Ａ）、（Ｂ）のｓａ’ｉｎｆまたはｓａ’ｄは像点距離s’に、ｆａは焦点距離ｆに対応している。物体が無限遠にある場合、図１１（A）に示すｓａｉｎｆは無限大となるため、ｓａ’ｉｎｆは（１１）式から
ｓａ’ｉｎｆ＝ｆａ  ・・・（１２）
と求まる。
【００２９】
このように、レンズ群ａから焦点距離ｆａだけ離れた位置に結像する。物体距離が有限距離の場合、図１１（Ｂ）に示す物体距離ｓａｄは有限の値をとり、（１１）式の関係から、図１１（Ｂ）に示す像点距離ｓａ’ｄのように、レンズ群ａより焦点距離ｆａの長さよりも遠い位置に結像する。ここで、レンズ群ａの横倍率βはｓ’をｓで割った値、
β＝ｓ’／ｓ  ・・・（１３）
である。
【００３０】
物体距離が無限遠のときの横倍率βｉｎｆと、有限距離のときの横倍率βｄの関係は、図１１（Ａ）及び（Ｂ）に示したｓａｉｎｆ、ｓａ’ｉｎｆ、ｓａｄ、そしてｓａ’ｄの関係より、
βｉｎｆ＞βｄ  ・・・（１４）
となる。即ち、物体距離の変化によってレンズ群ａの横倍率は変化することがわかる。
【００３１】
レンズ群ａが複数ある場合も、物体距離の変化によるレンズ群の像点の変化が、後続のレンズ群の物点の変化に相当するため、後続のレンズ群の横倍率も物体距離により変化する。いま、ｘａを物体から数えた第ａ番目のレンズ群ａの物点距離の変化量、βａｉｎｆを物体距離が無限遠の横倍率、ｆａをレンズ群ａの焦点距離、βａｄを物体距離が有限距離の横倍率とする。横倍率の変化を一般化すると横倍率βａｄは、
βａｄ＝βａｉｎｆ／(１+βａｉｎｆ×ｘａ／ｆａ)・・・(１５) 
と表わされる。
【００３２】
（１５）式のように、物体距離が有限距離のときの各レンズ群の横倍率は、無限遠における横倍率βａｉｎｆと物点の変化量ｘａ、そして各レンズ群の焦点距離に依存して変化する。ズームレンズの場合、レンズ群の横倍率はズームポジションにより変化するため、物体距離による横倍率βａｄの変化の割合はズームポジションにより異なる。その結果、物体距離によって広角端と望遠端での結像倍率の比（ズーム比）が変化するという問題が生じる。（１５）式から、レンズ群の焦点距離ｆａと横倍率βａｄが同符号の時、レンズ群ａの焦点距離ｆａが小さく横倍率βａｉｎｆが大きいほど物体距離による横倍率変化が大きくなる。このため横倍率の変化は、広角端に対し望遠端で顕著に表れる。
【００３３】
ここでズーム比は、最も物体側の変倍レンズ群から最も像側の変倍レンズ群までの全てのレンズ群について、各レンズ群の無限遠における望遠端と広角端の横倍率の比で表わされる。無限遠における広角端での最も物体側の変倍レンズ群から最も像側の変倍レンズ群までの横倍率の積をβｚｗｉｎｆ、無限遠における望遠端での横倍率の積をβｚｔｉｎｆとする。このとき、無限遠におけるズーム比Ｚｉｎｆは、
Ｚｉｎｆ＝βｚｔｉｎｆ／βｚｗｉｎｆ・・・(１６)
と表わされる。
【００３４】
また、至近における広角端での最も物体側の変倍レンズ群から最も像側の変倍レンズ群までの横倍率の積をβｚｗｍｏｄ、至近における望遠端での横倍率の積をβｚｔｍｏｄとする。このとき、至近におけるズーム比Ｚｍｏｄは、
Ｚｍｏｄ＝βｚｔｍｏｄ／βｚｗｍｏｄ・・・(１７)
と表わされる。
【００３５】
（１７）式のように、至近におけるズーム比Ｚｍｏｄは、至近における変倍レンズ群の横倍率に依存して変化する。ここで至近におけるズーム比Ｚｍｏｄの変化とは、無限遠における変倍比Ｚｉｎｆと至近における変倍比Ｚｍｏｄの比Ｚｍｏｄ／Ｚｉｎｆである。無限遠と至近のズーム比の比が１に近い値となれば至近におけるズーム比Ｚｍｏｄの変化が抑制され、物体距離が無限遠から至近まで、十分な広さの画界を確保することができる。
【００３６】
以上の理由から、変倍部でフォーカスを行う場合には、特に望遠端での物体距離による横倍率の変化を考慮しながら各レンズ群の近軸配置を設定することが重要となる。特に本発明のような高ズーム比のズームレンズでは、主変倍レンズ群である第２レンズ群の変倍による横倍率の変化（減少）が大きく、変倍レンズ群でフォーカスを行う際に、物体距離の変化によるズーム比の変化（低下）が顕著となる。
【００３７】
本発明では、第２レンズ群及び第３レンズ群の無限遠の合焦したときに対する近距離の合焦したときの望遠端の横倍率の変化を軽減するために第２レンズ群と第３レンズ群の望遠端における横倍率の積を小さくしている。そして高変倍比を確保するために第４群が一定以上の変倍比をもつようにしている。これにより、無限遠で高変倍比を確保しつつ、物体距離が至近距離のときも高変倍比を維持できる。ここで至近距離とは、ズームレンズが物体に対し最も近づくことのできる距離で、ズームレンズの最も物体側のレンズ面から物体までの距離である。
【００３８】
本発明では、主変倍レンズ群である第２レンズ群と第３レンズ群の無限遠における望遠端での横倍率の積の大きさを規定し、至近距離における横倍率の減少を少なくすることで、全系としての至近距離でのズーム比を高く維持している。また、第４レンズ群の変倍比を規定することで、高ズーム比と物体距離が至近距離におけるズーム比の低下を軽減している。
【００３９】
具体的には、望遠端において無限遠に合焦したときの第２レンズ群Ｕ２の横倍率をβ２ｔ、望遠端において無限遠に合焦したときの第３レンズ群Ｕ３の横倍率をβ３ｔ、広角端において無限遠に合焦したときの第４レンズ群Ｕ４の横倍率をβ４ｗ、望遠端において無限遠に合焦したときの第４レンズ群Ｕ４の横倍率をβ４ｔ、とする。このとき、
−１．４＜β２ｔ×β３ｔ＜−０．４  ・・・（１）
１．０２＜β４ｔ／β４ｗ            ・・・（２）
なる条件を満足する。
【００４０】
次に前述の各条件式の技術的意味について説明する。条件式（１）は、無限遠における望遠端での第２レンズ群Ｕ２の横倍率と第３レンズ群Ｕ３の横倍率の積を規定している。条件式（１）を満足することで、物体距離の変化によるズーム比の変化を軽減しながら、レンズ全長の増大を軽減している。このとき、物体距離が無限遠に対し至近距離での第２レンズ群Ｕ２の横倍率及び第３レンズ群Ｕ３での横倍率の減少が抑えられ、ズーム比の低下を防止している。
【００４１】
条件式（１）の下限を下回ると、至近距離における望遠端での第２レンズ群Ｕ２の横倍率と第３レンズ群Ｕ３の横倍率の積の減少が増大し、レンズ全系の変倍比の低下が増大する。条件式（１）の上限を上回ると、第２レンズ群Ｕ２及び第３レンズ群Ｕ３の変倍分担比が小さくなりすぎるため、高ズーム比化が困難となる。
【００４２】
条件式（２）は、無限遠における第４レンズ群Ｕ４の変倍比を規定している。条件式（２）を満足することで、変倍を第４レンズ群Ｕ４に分担可能となり、高ズーム比化を図りつつレンズ全長を短縮している。また、このとき広角端から望遠端へのズーミングに際して第４レンズ群Ｕ４は像側から物体側へ移動する。条件式（２）の下限を下回ると、第４レンズ群Ｕ４の変倍比が不十分となり高ズーム比化を図るのが困難となる。
【００４３】
更に好ましくは条件式（１）、（２）の数値範囲を次の如く設定するのが良い。
−１．３＜β２ｔ×β３ｔ＜−０．５    ・・・（１ａ）
１．０２５＜β４ｔ／β４ｗ            ・・・（２ａ）
以上のように無限遠における望遠端での第２レンズ群Ｕ２と第３レンズ群Ｕ３の横倍率の積や、第４レンズ群Ｕ４の変倍比を適切な範囲に設定することで、高ズーム比で、しかも至近距離でフォーカスした際のズーム比の低下を軽減している。また各実施例において更に好ましくは次の条件式のうち１以上を満足するのが良い。
【００４４】
第１レンズ群Ｕ１の焦点距離をｆ１、第２レンズ群Ｕ２の焦点距離をｆ２、第３レンズ群Ｕ３の焦点距離をｆ３、第４レンズ群Ｕ４の焦点距離をｆ４、望遠端において無限遠に合焦したときのズームレンズの焦点距離をｆｔとする。
【００４５】
広角端から望遠端へのズーミングにおける第２レンズ群Ｕ２の移動量をＭ２とする。広角端から望遠端へのズーミングにおける第３レンズ群Ｕ３の移動量をＭ３とする。広角端から望遠端へのズーミングにおける第４レンズ群Ｕ４の移動量をＭ４とする。但し移動量はレンズ群の広角端における光軸上の位置と望遠端における光軸上の位置との差を言い、移動量の符号はレンズ群が広角端に比べ望遠端において像側に位置するときを正とする。
【００４６】
このとき次の条件式のうち１以上を満足するのが良い。
β４ｔ＜−１．０                      ・・・（３）
０．８＜ｆｔ／ｆ１＜４．０            ・・・（４）
−５．０＜ｆ１／ｆ２＜−２．０        ・・・（５）
−３．５＜ｆ１／ｆ３＜−０．５        ・・・（６）
１．０＜ｆ１／ｆ４＜４．０            ・・・（７）
０．１０＜Ｍ２／ｆｔ＜０．６          ・・・（８）
０．００１＜｜Ｍ３｜／ｆｔ＜０．１００・・・（９）
０．０２＜｜Ｍ４｜／ｆｔ＜０．１０    ・・・（１０）
【００４７】
次に前述の各条件式の技術的意味について説明する。条件式（３）は、無限遠における望遠端での第４レンズ群Ｕ４の横倍率を規定している。条件式（３）を満足することで、第４レンズ群Ｕ４からの射出光を収斂光として、第５レンズ群Ｕ５のレンズ径を小型化している。また、第５レンズ群Ｕ５の焦点距離を長くすることができるため、諸収差の補正が容易になり、また第４レンズ群Ｕ４の敏感度を低減することができる。
【００４８】
尚、このとき、無限遠から近距離へフォーカスを行う際、第４レンズ群Ｕ４は光軸上を像側へ移動する。このため、広角端から望遠端へのズーミングに際して第４レンズ群Ｕ４が物体側へ移動することにより生じる空間を、近距離への合焦したときの第４レンズ群Ｕ４の移動スペースとして活用し、高ズーム比化を図りつつ、レンズ全長を短縮している。
【００４９】
条件式（３）の上限を上回ると、第４レンズ群Ｕ４の焦点距離を小さくする必要があるため、諸収差の良好な補正が困難になる。また、このとき第４レンズ群Ｕ４は近距離の合焦したときに物体側へ移動するようになるため、望遠側で第４レンズ群Ｕ４がフォーカスのために移動するスペースを確保する必要があり、レンズ全長が増大し、全系の小型化が困難となる。
【００５０】
条件式（４）は望遠端における全系の焦点距離ｆｔと第１レンズ群Ｕ１の焦点距離ｆ１の比を規定する。条件式（４）を満足することにより高ズーム比化を達成しながら軸上色収差を良好に補正している。条件式（４）の上限を超えると、第１レンズ群Ｕ１の望遠端における拡大率が大きくなり過ぎるため、望遠側において球面収差の変動が増大し、また軸上色収差の補正が困難となる。条件式（４）の下限を下回ると、第２レンズ群Ｕ２から第４レンズ群Ｕ４の焦点距離が短くなり、ズーミングによる収差変動の軽減が困難となる。
【００５１】
条件式（５）は第１レンズ群Ｕ１の焦点距離ｆ１と、第２レンズ群Ｕ２の焦点距離ｆ２の比を規定している。条件式（５）を満足することで、軸上色収差を良好に補正しながら変倍に伴う第２レンズ群Ｕ２の移動量を低減し、ズーム比５以上を維持しながらレンズ全長を短縮している。条件式（５）の上限を超えて、第２レンズ群Ｕ２の焦点距離が相対的に小さくなると、全系の小型化には有利となるが、ズーミングに伴う収差変動が増大する。条件式（５）の下限を超えて、第２レンズ群Ｕ２の焦点距離が相対的に長くなると、ズーミングに伴う第２レンズ群Ｕ２の移動量が増大して全系が大型化してくる。
【００５２】
条件式（６）は、第１レンズ群Ｕ１の焦点距離と第３レンズ群Ｕ３の焦点距離との比を規定している。条件式(６)を満足することで、収差補正を良好に行いつつ、全系の小型化を容易にしている。条件式（６）の上限を超えて、第３レンズ群Ｕ３の負の屈折力の絶対値が第１レンズ群Ｕ１の正の屈折力の絶対値に対して相対的に小さくなると、ズーミングに際して第３レンズ群Ｕ３の移動量が増大して全系が大型化してくる。
【００５３】
条件式（６）の下限を超えて、第３レンズ群Ｕ３の負の屈折力の絶対値が第１レンズ群Ｕ１の正の屈折力の絶対値に対して相対的に小さくなると、ズーミングに際して球面収差、コマ収差の変動が増大し、これらの諸収差の補正が困難となる。
【００５４】
条件式（７）は、第１レンズ群Ｕ１の焦点距離と第４レンズ群Ｕ４の焦点距離との比を規定している。条件式（７）を満足することで、フォーカシングの際の収差変動を少なくし、かつ第４レンズ群Ｕ４の移動量を少なくしつつ全系の小型化を容易にしている。条件式（７）の上限を超えて、第４レンズ群Ｕ４の正の屈折力が第１レンズ群Ｕ１の正の屈折力に対して相対的に強くなり過ぎると、ズーミングに際して球面収差、コマ収差の変動が増大し、これらの諸収差の補正が困難となる。
【００５５】
条件式（７）の下限を超えて、第４レンズ群Ｕ４の正の屈折力が第１レンズ群Ｕ１の正の屈折力に対して相対的に弱くなり過ぎると、ズーミングに際しての第４レンズ群Ｕ４の移動量が増大し全系が大型化してくる。
【００５６】
本発明のズームレンズは、ズーミングに際して第１レンズ群Ｕ１と第５レンズ群Ｕ５は不動であり、第２レンズ群Ｕ２から第４レンズ群Ｕ４までが移動する。ズーミングに際して３つのレンズ群を移動させることにより、高ズーム比化を図りつつ、ズーム全域において諸収差を良好に補正している。また、第３レンズ群Ｕ３が広角端から望遠端へのズーミングに際して、光軸上を物体側に凸形状の軌跡で移動（像側→物体側→像側に移動）することで、前玉径を小型化している。
【００５７】
また、本発明のズームレンズの変倍部は、第２レンズ群Ｕ２、第３レンズ群Ｕ３、第４レンズ群Ｕ４より構成されている。第４レンズ群Ｕ４を正の屈折力とすることで第４レンズ群Ｕ４からの射出光を収斂光として、第５レンズ群Ｕ５に入射させ、第５レンズ群Ｕ５のレンズ有効径の小型化を図っている。更に第５レンズ群Ｕ５の焦点距離を長くすることが容易になるため、諸収差の良好な補正や敏感度の低減を図っている。また、第４レンズ群Ｕ４より物体側のレンズ群への軸外光線の入射高が低くなり、これにより全系の小型化を図っている。
【００５８】
第３レンズ群Ｕ３を負の屈折力とすることにより、第４レンズ群Ｕ４に対する物点をより像側へ位置させて、第４レンズ群Ｕ４の焦点距離が短い場合でもレンズ群間隔を十分長く確保して高ズーム比化を容易にしている。
【００５９】
条件式（８）乃至（１０）は以上の理由により変倍用の各レンズ群の移動量を定めたものである。条件式（８）の上限を超えて、第２レンズ群Ｕ２の移動量が大きくなると、レンズ全長が長くなり、全系の小型化が困難になる。条件式（８）の下限を超えて、第２レンズ群Ｕ２の移動量が小さくなると、高ズーム比化のため第２レンズ群Ｕ２の焦点距離を小さくする必要があり、そうするとズーミングに際して収差変動が増大してくる。
【００６０】
条件式（９）の上限を超えて、第３レンズ群Ｕ３の移動量が大きくなると、レンズ全長が増大してくる。特に第３レンズ群Ｕ３の負の屈折力は第３レンズ群Ｕ３の負の屈折力に比べて小さいため、ズーミングに際して第２レンズ群Ｕ２乃至第４レンズ群Ｕ４の移動量の和が大きくなり、レンズ全長が増大してくる。条件式（９）の下限を超えて、第３レンズ群Ｕ３の移動量が小さくなると、高ズーム比化を図りつつ、ズーム全域において良好な収差補正が困難となる。
【００６１】
条件式（１０）の上限を超えて、第４レンズ群Ｕ４の移動量が大きくなると、ズーミングに際して第２レンズ群Ｕ２乃至第４レンズ群Ｕ４の移動量の和が大きくなり、レンズ全長が増大してくる。条件式（１０）の下限を超えて、第４レンズ群Ｕ４の移動量が小さくなると、至近距離においてズーミングするときのズーム比が低下し、高ズーム比化が困難となる。
【００６２】
更に好ましくは条件式（３）乃至（１０）の数値範囲を次の如く設定するのが良い。
β４ｔ＜−１．２                      ・・・（３ａ）
０．９＜ｆｔ／ｆ１＜３．０            ・・・（４ａ）
−４．０＜ｆ１／ｆ２＜−２．４        ・・・（５ａ）
−３．３＜ｆ１／ｆ３＜−０．９        ・・・（６ａ）
１．４＜ｆ１／ｆ４＜３．８            ・・・（７ａ）
０．１５＜Ｍ２／ｆｔ＜０．６０        ・・・（８ａ）
０．００１＜｜Ｍ３｜／ｆｔ＜０．０７０・・・（９ａ）
０．０３＜｜Ｍ４｜／ｆｔ＜０．０８    ・・・（１０ａ）
【００６３】
以上のように本発明によれば、各レンズ群の横倍率や変倍分担比を適切に規定することで、全系の小型化、軽量化を図り、かつ高ズーム比で、しかも近距離撮影時のズーム比の低下を軽減したズームレンズが得られる。
【００６４】
次に各実施例の構成のうち前述した以外の構成及び各実施例の変倍部である第２レンズ群Ｕ２、第３レンズ群Ｕ３、第４レンズ群Ｕ４のレンズ構成を中心に説明する。
【００６５】
実施例１において、第２レンズ群Ｕ２は、後述する数値実施例１において第１２レンズ面〜第１９レンズ面に対応し、物体側から像側へ順に、負レンズ、負レンズ、正レンズ、負レンズで構成されている。第３レンズ群Ｕ３は、第２０レンズ面〜第２２レンズ面に対応し、負レンズと正レンズがこの順に貼り合わされた接合レンズで構成されている。第４レンズ群Ｕ４は、第２３レンズ面〜第２７レンズ面に対応し、物体側から像側へ順に、正レンズ、正レンズと負レンズがこの順に貼り合わされた接合レンズにて構成されている。
【００６６】
実施例１は広角端の焦点距離３２ｍｍ、ズーム比５．０倍を達成している。更に小型軽量な第４レンズ群Ｕ４を用いてフォーカシングを行い、至近端(像面より物体側に１．２ｍ)にフォーカスを合わせた際にも、ズーム比は無限遠の合焦したときに対し７０％以上確保している。また、望遠端において近距離撮影時のフォーカスのためのレンズ群の移動量は像側へ７．９ｍｍであり、フォーカスストロークが軽減されている。
【００６７】
実施例２において、第２レンズ群Ｕ２は、後述する数値実施例２において第８レンズ面〜第１５レンズ面に対応し、物体側から像側へ順に、負レンズ、負レンズ、正レンズ、負レンズで構成されている。第３レンズ群Ｕ３は、第１６レンズ面〜第１８レンズ面に対応し、負レンズと正レンズがこの順番で貼り合わされた接合レンズで構成されている。第４レンズ群Ｕ４は、第１９レンズ面〜第２３レンズ面に対応し、物体側から像側へ順に、正レンズ、正レンズと負レンズがこの順に貼り合わされた接合レンズにて構成されている。
【００６８】
実施例２は広角端の焦点距離３５ｍｍ、ズーム比５．０倍を達成している。更に小型軽量な第４レンズ群Ｕ４を用いてフォーカシングを行い、至近端(像面より物体側に１．５ｍ)にフォーカスを合わせた際にも、ズーム比は無限遠の合焦したときに対し７０％以上確保している。また、望遠端において近距離撮影時のフォーカスのためのレンズ群の移動量は像側へ６．７ｍｍであり、フォーカスストロークが軽減されている。
【００６９】
実施例３において、第２レンズ群Ｕ２は、後述する数値実施例３において第１２レンズ面〜第１９レンズ面に対応し、物体側から像側へ順に、負レンズ、負レンズ、正レンズ、負レンズで構成されている。第３レンズ群Ｕ３は、第２０レンズ面〜第２２レンズ面に対応し、負レンズと正レンズがこの順番で貼り合わされた接合レンズで構成されている。第４レンズ群Ｕ４は、第２３レンズ面〜第２７レンズ面に対応し、物体側から像側へ順に、正レンズ、正レンズと負レンズがこの順に貼り合わされた接合レンズで構成されている。
【００７０】
実施例３は広角端の焦点距離３０ｍｍ、ズーム比５．０倍を達成している。更に小型軽量な第４レンズ群Ｕ４を用いてフォーカシングを行い、至近端(像面より物体側に１．２ｍ)にフォーカスを合わせた際にも、ズーム比は無限遠の合焦したときに対し７０％以上確保している。また、望遠端において近距離撮影時のフォーカスのためのレンズ群の移動量は像側へ９．５ｍｍであり、フォーカスストロークが軽減されている。
【００７１】
実施例４において第２レンズ群Ｕ２は、後述する数値実施例４において第１２レンズ面〜第１９レンズ面に対応し、物体側から像側へ順に、負レンズ、負レンズ、正レンズ、負レンズで構成されている。第３レンズ群Ｕ３は、数値実施例４において第２０レンズ面〜第２２レンズ面に対応し、負レンズと正レンズがこの順に貼り合わされた接合レンズで構成されている。第４レンズ群Ｕ４は、数値実施例４において第２３レンズ面〜第２７レンズ面に対応し、物体側から順に、正レンズ、正レンズと負レンズがこの順に貼り合わされた接合レンズで構成されている。
【００７２】
実施例４は広角端の焦点距離３０ｍｍ、ズーム比５．０倍を達成している。更に小型軽量な第４レンズ群Ｕ４を用いてフォーカシングを行い、至近端(像面より物体側に１．５ｍ)にフォーカスを合わせた際にも、ズーム比は無限遠の合焦したときに対し７０％以上確保している。また、望遠端において近距離撮影時のフォーカスのためのレンズ群の移動量は像側へ４．７ｍｍであり、フォーカスストロークが軽減されている。
【００７３】
次に、上述した各ズームレンズを撮像光学系として用いた撮像装置について説明する。図１０は各実施例のズームレンズを撮影光学系として用いた撮像装置（テレビカメラシステム）の要部概略図である。図１０において１０１は実施例１〜４のいずれか１つのズームレンズである。
【００７４】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミングに際して光軸上を移動する第２、第３レンズ群と、ズーミング及びフォーカシングに際して光軸上を移動する第４レンズ群を含むズーム部（兼フォーカス部）１１５、結像用の第５レンズ群１１６を有している。ＳＰは開口絞りである。ズーミング並びにフォーカシングのためには不動の第５レンズ群１１６は、光路中より挿抜可能なエクステンダＩＥを有している。
【００７５】
ズーム部１１５には、光軸方向に駆動される為の駆動機構が備わっている。１１７、１１８はズーム部１１５及び開口絞りＳＰを電動駆動するモータ等の駆動手段である。１１９、１２０は、ズーム部１１５中の各レンズ群の光軸上の位置と、開口絞りＳＰの絞り径を検出する為のエンコーダやポテンショメータ、あるいはフォトセンサ等の検出器である。尚、ズーム部１１５中の各レンズ群の駆動軌跡は、ヘリコイドやカムなどの機械的軌跡や、超音波モータなどによる電気的軌跡のどちらであっても構わない。
【００７６】
カメラ１２４において、１０９はカメラ１２４内の光学フィルタや色分解プリズムに相当するガラスブロック、１１０はズームレンズ１０１によって形成された被写体像（光学像）を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００７７】
以上、本発明の好ましい実施形態について説明したが、本発明はこれらの実施形態に限定されず、その要旨の範囲内で種々の変形及び変更が可能である。
【００７８】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。焦点距離、Ｆナンバー、半画角（度）は、それぞれ無限遠物体に焦点を合わせたときの値を表している。ＢＦはバックフォーカスであり、最終レンズ面から像面までの距離である。レンズ全長は第１レンズ面から最終レンズ面までの距離に、バックフォーカスの値を加えた距離である。各実施例と前述した各条件式との対応を表１に示す。
【００７９】
(数値実施例１)
単位 mm
面データ
面番号       r        d      nd         νd
1        271.013    2.00   1.74320    49.3           
2        103.337   18.09                             
3        -88.846    4.00   1.69895    30.1           
4        -99.103    0.98                             
5        178.499    2.16   1.84666    23.8           
6        131.218    8.77   1.43875    94.9           
7       -913.665    0.12                             
8        135.831   10.90   1.43875    94.9           
9       -189.098    0.13                             
10         79.652    7.57   1.59522    67.7           
11        279.922  (可変)                             
12         86.807    1.50   1.83481    42.7           
13         31.145    7.19                             
14       -380.460    1.40   1.81600    46.6           
15         59.205    2.32                             
16         50.355    4.85   1.80809    22.8           
17       -550.622    3.14                             
18        -54.637    1.30   1.75500    52.3           
19       -132.260  (可変)                             
20        -39.226    1.40   1.80440    39.6           
21        122.087    3.69   1.84666    23.8           
22       -219.469  (可変)                             
23       -455.246    5.00   1.75500    52.3           
24        -60.781    0.09                             
25         55.333   10.00   1.61800    63.3           
26        -50.048    1.25   1.80000    29.8           
27       -273.744  (可変)                             
28(絞り)    ∞       8.00                             
29         36.293   10.00   1.75700    47.8           
30        -34.762    1.35   1.73400    51.5           
31         75.988    6.28                             
32         74.105    1.35   1.88300    40.8           
33         18.345    7.97   1.49700    81.5           
34        103.760    2.00                             
35        -35.778    6.27   1.49700    81.5           
36        -30.564    4.75                             
37        -22.425    1.50   1.85026    32.3           
38        -34.101    0.20                             
39        111.425    3.80   1.58913    61.1           
40        -91.729   45.83                             
像面        ∞   
【００８０】
各種データ
ズーム比      5.00 
広角     中間     望遠
焦点距離      32.00   100.00   160.00  
Fナンバー      2.70     2.70     3.00  
半画角（度）  24.82     8.42     5.28  
像高          14.80    14.80    14.80  
レンズ全長   271.71   271.71   271.71  
BF            45.83    45.83    45.83  
d11            0.70    45.24    56.57  
d19           59.27    12.64     3.91  
d22           13.27    11.62     5.29  
d27            1.32     5.05     8.78  
ズームレンズ群データ
群  始面    焦点距離  
1    1     103.21  
2   12     -41.58  
3   20     -61.98  
4   23      46.69  
5   28     212.04  
【００８１】
(数値実施例２)
単位 mm
面データ
面番号       r        d      nd         νd
1        189.488    3.20   1.84666    23.8           
2        101.485   10.70   1.43875    94.9           
3      -1140.351    0.18                             
4        135.344    8.96   1.43875    94.9           
5       -877.030    0.20                             
6         59.114    9.69   1.59522    67.7           
7        221.546  (可変)                             
8         90.646    1.50   1.83481    42.7           
9         24.289    7.77                             
10       -110.170    1.40   1.81600    46.6           
11        120.846    0.41                             
12         36.990    5.69   1.84666    23.8           
13       -172.705    2.03                             
14        -52.954    1.30   1.75500    52.3           
15         73.890  (可変)                             
16        -41.120    1.40   1.80610    40.9           
17        144.260    3.87   1.84666    23.8           
18       -228.504  (可変)                             
19        798.132    4.48   1.75500    52.3           
20        -49.173    0.09                             
21         54.646    7.41   1.61800    63.3           
22        -41.926    1.25   1.80000    29.8           
23       -749.966  (可変)                             
24(絞り)    ∞      10.50                             
25         29.184    9.20   1.75700    47.8           
26        -23.064    1.35   1.74100    52.6           
27         28.340    8.96                             
28        -49.356    1.35   1.88300    40.8           
29         26.789    7.65   1.48749    70.2           
30        -37.152    0.47                             
31         58.218    8.00   1.48749    70.2           
32        -65.343   52.89                             
像面        ∞   
【００８２】
各種データ
ズーム比      5.00 
広角     中間     望遠
焦点距離      35.00   100.00   175.00  
Fナンバー      3.00     3.00     3.00  
半画角（度）  22.92     8.42     4.83  
像高          14.80    14.80    14.80  
レンズ全長   230.91   230.91   230.91  
BF            52.89    52.89    52.89  
d 7            0.70    27.34    34.76  
d15           41.50    12.98     4.14  
d18           14.23    13.97     7.86  
d23            2.61     4.74    12.28  
ズームレンズ群データ
群  始面    焦点距離  
1    1      84.07  
2    8     -25.50  
3   16     -64.70  
4   19      40.48  
5   24     200.28  
【００８３】
(数値実施例３)
単位 mm
面データ
面番号       r        d      nd         νd
1        172.449    2.00   1.74320    49.3           
2         83.174   20.52                             
3        -87.635    4.00   1.69895    30.1           
4       -100.220    3.02                             
5        125.526    2.16   1.84666    23.8           
6         93.662    9.06   1.43875    94.9           
7      -2224.583    0.12                             
8        119.095   10.11   1.43875    94.9           
9       -184.119    0.13                             
10         74.398    7.38   1.59522    67.7           
11        331.075  (可変)                             
12         95.342    1.50   1.83481    42.7           
13         26.066    6.40                             
14       -238.207    1.40   1.81600    46.6           
15         64.162    2.04                             
16         43.125    4.40   1.80809    22.8           
17       -332.792    2.51                             
18        -48.969    1.30   1.75500    52.3           
19       -190.482  (可変)                             
20        -40.707    1.40   1.80440    39.6           
21        337.123    4.42   1.84666    23.8           
22       -104.701  (可変)                             
23       -367.081    4.24   1.75500    52.3           
24        -78.081    0.09                             
25         75.820    6.77   1.61800    63.3           
26        -36.331    1.25   1.80000    29.8           
27       -122.830   43.98                             
28(絞り)    ∞       9.47                             
29         39.103   10.01   1.75700    47.8           
30        -29.946    1.35   1.73400    51.5           
31        167.173    9.78                             
32        140.135    1.35   1.88300    40.8           
33         21.451    4.55   1.49700    81.5           
34         88.017    2.00                             
35       -100.201    6.90   1.49700    81.5           
36        -35.440    4.00                             
37        -21.168    1.50   1.85026    32.3           
38        -34.412    0.20                             
39         98.343    3.80   1.58913    61.1           
40       -105.838  (可変)                             
像面        ∞   
【００８４】
各種データ
ズーム比      5.00 
広角     中間     望遠
焦点距離      30.00    99.94   150.00  
Fナンバー      2.99     3.00     3.00  
半画角（度）  26.26     8.42     5.63  
像高          14.80    14.80    14.80  
レンズ全長   257.98   257.98   257.98  
BF            43.98    43.98    43.98  
d11            0.72    39.65    47.25  
d19           49.38     6.98     2.55  
d22           10.73     9.94     1.91  
d27            2.03     6.29    11.13  
ズームレンズ群データ
群  始面    焦点距離  
1    1      85.82  
2   12     -32.94  
3   20     -90.37  
4   23      58.08  
5   28     122.02  
【００８５】
(数値実施例４)
単位 mm
面データ
面番号       r        d      nd         νd
1        234.570    2.00   1.74320    49.3           
2        122.876   32.00                             
3        -99.102    4.00   1.69895    30.1           
4       -100.201    0.95                             
5        381.271    2.16   1.84666    23.8           
6        230.252   11.54   1.43875    94.9           
7      -10021.757    0.12                             
8        138.142   17.65   1.43875    94.9           
9       -272.207    0.13                             
10        104.444    9.16   1.59522    67.7           
11        191.271  (可変)                             
12        148.808    1.50   1.83481    42.7           
13         42.410    8.00                             
14       -284.465    1.40   1.81600    46.6           
15         98.025    1.71                             
16         71.185    6.00   1.80809    22.8           
17      -1671.828    6.16                             
18        -55.365    1.30   1.75500    52.3           
19        -76.206  (可変)                             
20        -43.858    1.40   1.80440    39.6           
21         30.648    6.00   1.84666    23.8           
22        258.081  (可変)                             
23       -470.427    5.00   1.75500    52.3           
24        -53.468    0.09                             
25         54.430    8.63   1.61800    63.3           
26        -41.605    1.25   1.80000    29.8           
27       -199.161  (可変)                             
28(絞り)    ∞       8.00                             
29         33.360    9.48   1.75700    47.8           
30        -34.963    1.35   1.73400    51.5           
31         35.336    4.00                             
32        100.849    1.35   1.88300    40.8           
33         22.029    6.20   1.49700    81.5           
34      -17625.561    2.26                             
35        -36.758    2.95   1.49700    81.5           
36        -27.000    4.00                             
37        -23.898    1.50   1.85026    32.3           
38        -30.701    0.20                             
39        192.861    3.70   1.58913    61.1           
40       -139.015   60.00                             
像面        ∞   
【００８６】
各種データ
ズーム比      5.00 
広角     中間     望遠
焦点距離      30.00   100.00   150.00  
Fナンバー      3.00     3.00     3.00  
半画角（度）  26.26     8.42     5.63  
像高          14.80    14.80    14.80  
レンズ全長   346.18   346.18   346.18  
BF            60.00    60.00    60.00  
d11            4.36    76.38    92.18  
d19           94.30    19.87     4.00  
d22           13.26    13.00    10.24  
d27            1.13     3.80     6.63  
ズームレンズ群データ
群  始面    焦点距離  
1    1     160.00  
2   12     -57.91  
3   20     -48.84  
4   23      42.29  
5   28     324.76  
【００８７】
【表１】
2016057387.tif 000003
【符号の説明】
【００８８】
Ｕ１    第１レンズ群      Ｕ２    第２レンズ群      Ｕ３    第３レンズ群
Ｕ４    第４レンズ群      Ｕ５    第５レンズ群
【図２】
2016057387.tif 000004
【図１】
2016057387.tif 000005
【図３】
2016057387.tif 000006
【図４】
2016057387.tif 000007
【図５】
2016057387.tif 000008
【図６】
2016057387.tif 000009
【図７】
2016057387.tif 000010
【図８】
2016057387.tif 000011
【図９】
2016057387.tif 000012
【図１０】
2016057387.tif 000013
【図１１】
2016057387.tif 000014